(57)【要約】【課題】  本来の捕獲対象であるイカ以外の魚類が掛かってしまうのを確実に回避することができる、新規なイカヅノに装着される魚類忌避体並びにこれを具えたイカヅノの開発を技術課題とした【解決手段】  イカヅノ１０における笠針１２の後方に突出するように位置する忌避作用部２と、この忌避作用部２をイカヅノ１０のボディ１１に対して装着するための固着部３とを具えたことを特徴として成るものであり、固着部３によってイカヅノ１０に装着され、笠針１２の後方に突出するように位置する魚類忌避体１によって魚Ｆの捕食動作を妨げることができるため、魚Ｆが掛かってしまうのを回避することができる。一方、前記魚類忌避体１は、本来の対象であるイカＳの捕食動作を妨げてしまうことがないため、確実にイカＳのみを掛けることが可能となる。【選択図】図１
2008067615.tif 000002
【特許請求の範囲】
【請求項１】
イカヅノにおける笠針の後方に突出するように位置する忌避作用部と、この忌避作用部をイカヅノのボディに対して装着するための固着部とを具えたことを特徴とするイカヅノに装着される魚類忌避体。
【請求項２】
前記固着部と忌避作用部とは、一本の線材を曲げ加工して形成されたものであることを特徴とする請求項１記載のイカヅノに装着される魚類忌避体。
【請求項３】
前記固着部はボディに対してたすき掛け状に装着されるものであることを特徴とする請求項２記載のイカヅノに装着される魚類忌避体。
【請求項４】
前記請求項１、２または３記載の魚類忌避体が具えられたことを特徴とするイカヅノ。
【発明の詳細な説明】
【技術分野】
【０００１】
本発明はイカ釣りに用いられる疑似餌であるイカヅノに関するものであり、特に本来の対象であるイカ以外の魚類が掛かってしまうのを回避することができるイカヅノに装着される魚類忌避体並びにこれを具えたイカヅノに係るものである。
【背景技術】
【０００２】
沖釣りでヤリイカ、スルメイカ等を対象とした釣りや漁が行われる際には、図７に示すようにイカヅノ１０′と呼ばれる疑似餌がラインＬに５〜１０本程度取り付けられた仕掛けが用いられる。そして仕掛けをイカＳが群棲するタナ（層）にまで落とし込み、ラインＬを上下させてイカヅノ１０′に生きている小魚のような動きを与えてイカＳに捕食させている（例えば特許文献１参照）。
【０００３】
ところでイカＳが群棲するタナは、水深５０〜２００ｍの領域であり、これよりも上層は回遊魚であるサバ等の魚Ｆのタナとなっている。
このためイカヅノ１０′がイカＳのタナに到達する前に魚Ｆが掛かってしまい、捕獲対象であるイカＳの釣果に悪影響を及ぼしてしまうことも珍しくはなかった。
すなわち複数あるイカヅノ１０′の一つにでも魚Ｆが掛かってしまうと、もはや仕掛けをイカＳのタナにまで落としこむことは不可能となり、いったん仕掛けを引き上げて魚Ｆを外さなければならない。
更には掛かった魚Ｆがもがいて仕掛けが絡まってしまうばかりか、甚だしいときには他の釣り人の仕掛けに絡んでしまうこともあった。
【特許文献１】特開２００１−２０４３０３公報
【発明の開示】
【発明が解決しようとする課題】
【０００４】
本発明はこのような背景を考慮してなされたものであって、本来の捕獲対象であるイカ以外の魚類が掛かってしまうのを確実に回避することができる、新規なイカヅノに装着される魚類忌避体並びにこれを具えたイカヅノの開発を技術課題としたものである。
【課題を解決するための手段】
【０００５】
すなわち請求項１記載のイカヅノに装着される魚類忌避体は、イカヅノにおける笠針の後方に突出するように位置する忌避作用部と、この忌避作用部をイカヅノのボディに対して装着するための固着部とを具えたことを特徴として成るものである。
この発明によれば、固着部によってイカヅノに装着され、笠針の後方に突出するように位置する魚類忌避体によって魚の捕食動作を妨げることができるため、魚が掛かってしまうのを回避することができる。
一方、前記魚類忌避体は、本来の対象であるイカの捕食動作を妨げてしまうことがないため、確実にイカのみを掛けることが可能となる。
【０００６】
また請求項２記載のイカヅノに装着される魚類忌避体は、前記要件に加え、前記固着部と忌避作用部とは、一本の線材を曲げ加工して形成されたものであることを特徴として成るものである。
この発明によれば、魚類忌避体を容易に且つ安価で製作することができる。
【０００７】
更にまた請求項３記載のイカヅノに装着される魚類忌避体は、前記請求項２記載の要件に加え、前記固着部はボディに対してたすき掛け状に装着されるものであることを特徴として成るものである。
この発明によれば、魚類忌避体をイカヅノのボディに対して確実に装着することができ、脱落を回避することができる。
【０００８】
また請求項４記載の魚類忌避体を具えたイカヅノは、前記請求項１、２または３記載の魚類忌避体が具えられたことを特徴として成るものである。
この発明によれば、固着部によってイカヅノに装着され、笠針の後方に突出するように位置する魚類忌避体によって魚の捕食動作を妨げることができるため、魚が掛かってしまうのを回避することができる。
一方、前記魚類忌避体は、本来の対象であるイカの捕食動作を妨げてしまうことがないため、確実にイカのみを掛けることが可能となる。
そしてこれら各請求項記載の発明の構成を手段として前記課題の解決が図られる。
【発明の効果】
【０００９】
本発明によれば、忌避作用部によって魚の捕食動作を妨げて魚が掛かってしまうのを確実に回避することができ、一方、前記魚類忌避体は、本来の捕獲対象であるイカの捕食動作を妨げてしまうことがないため、確実にイカのみを掛けることが可能となり、イカ釣りの釣果を飛躍的に向上させることが可能となる。
【発明を実施するための最良の形態】
【００１０】
以下、本発明を実施するための最良の形態について図示の実施例に基づいて説明する。
なお以下の実施例に対して本発明の技術的思想の範囲内において適宜変更を加えることも可能である。
【実施例】
【００１１】
図中、符号１で示すものが本発明の魚類忌避体であって、このものは符号１０で示すイカヅノに対して装着され、サバ等の魚類の捕食動作を妨げて確実にイカのみを釣ることを可能とする部材である。
始めに前記イカヅノ１０について説明すると、このものは図２に示すように、プラスチック等の合成樹脂や木材等によって魚体を模して形成されたボディ１１の尾部に、複数の針を具備した笠針１２が具えられて成るものである。
またボディ１１の頭部にはラインＬを接続するためのラインアイ１３が形成される。
なおこの実施例では一例として、前記笠針１２を二本具えるようにし、またこれら笠針１２はテグス１５を巻いてボディ１１に固定されるようにした。
【００１２】
次に魚類忌避体１について説明すると、このものは図３に示すように、忌避作用部２と、この忌避作用部２をイカヅノ１０のボディ１１に対して装着するための固着部３とを具えて成るものであり、この実施例では前記固着部３と忌避作用部２とを、一本の線材（一例としてφ０．３ｍｍ、長さ１３ｃｍのステンレスバネ鋼）を曲げ加工して形成するようにした。
具体的には、線材の中央をＵ字型に曲げて係止部３０とすると共に、中央から約３ｍｍの個所を、線材が約１２０°の角度を持つように曲げることにより第一折曲部３１を二箇所に形成する。
更にこれら第一折曲部３１から約２０ｍｍの個所を、線材が約１２０°の角度を持つように曲げることにより第二折曲部３２を形成するとともに、この第二折曲部３２から約３ｍｍの個所を、線材が約９０°の角度を持つように曲げることにより第三折曲部３３を形成する。
線材に対して上述したような曲げ加工を施すことにより、係止部３０から第三折曲部３３までの範囲を固着部３とし、更に第三折曲部３３から端部の部分を忌避作用部２とするものである。
なお上記の折り曲げ個所の数や寸法は、装着対象となるイカヅノ１０の寸法に合わせて適宜選択されるものである。
また魚類忌避体１を、複数の線材を曲げ加工し、組み合わせて構成するようにしてもよい。
【００１３】
本発明の魚類忌避体１は一例として上述したように構成されるものであり、以下、このものをイカヅノ１０に対して装着する手順を説明するとともに、その作用効果について説明を行う。
先ず図４（ａ）に示すように、係止部３０にイカヅノ１０のボディ１１を入れ込む。
次いで図４（ｂ）に示すように、第一折曲部３１と第二折曲部３２との間を交差させる。
更に図４（ｃ）に示すように第二折曲部３２と第三折曲部３３をボディ１１の下側に移動させるとともに、第三折曲部３３同士を交差させることにより、固着部３がボディ１１に対してたすき掛け状となった状態で装着されることとなる。
このため、魚類忌避体１はイカヅノ１０に対して強固に固定され、容易に脱落してしまうのを回避することができるものである。
【００１４】
また忌避作用部２は笠針１２の後方に突出するように位置することとなるため、以下に述べるように魚Ｆが笠針１２に掛かるのを回避しながらも、イカＳを掛けるのを可能とするものである。
すなわち図１に示すように、魚Ｆは捕食対象である小魚の後方から接近してこれに噛み付いたり、飲み込んだりする捕食動作を行うものであるため、魚Ｆがイカヅノ１０に近づくとボディ１１に噛み付く前に魚類忌避体１の忌避作用部２に触れることとなり、魚Ｆは違和感を感じて捕食動作を中断することとなる。
【００１５】
一方、イカＳの場合図５に示すように、捕食対象である小魚の斜め後方から接近してこれに抱き付くといった捕食動作を行うものであるため、魚類忌避体１が捕食動作を妨げてしまうことはなく、笠針１２に掛かることとなるものである。
なお魚類忌避体１は線材によって構成されているため、水の抵抗が少なく、更には軽量であるため、イカヅノ１０本来の動きを妨げてしまうことがない。
このように本発明によれば、イカヅノ１０はサバ等のタナを通過する最に魚Ｆが掛かってしまうことはなく確実にイカＳが群棲するタナに到達することとなるため、イカＳのみを釣り上げることが可能となり、また魚Ｆによる仕掛けの絡みも発生しないため、釣果が飛躍的に向上するものである。
【００１６】
〔他の実施例〕
本発明は上述した実施例を基本となる実施例とするものであるが、本発明の技術的思想に基づいて以下に示す実施例を採ることもできる。
まず基本となる実施例では魚類忌避体１を一つのみイカヅノ１０に装着するようにしたが、図６（ａ）に示すように二つまたはそれ以上の複数を装着するようにしてもよい。
【００１７】
また基本となる実施例では、イカヅノ１０に対して魚類忌避体１を後付けする形態を示したが、これらを予め一体化した状態で製造するようにしてもよい。
具体的には図６（ｂ）に示すように、笠針１２をボディ１１に取り付ける際に、魚類忌避体１も同時にテグス１５で巻いて取り付けるようにするものである。
なおこの場合にはテグス１５が固着部３として機能するので、魚類忌避体１に固着部３を設けなくても済むため、一例として線材をＶ字型に曲げて形成した魚類忌避体１を採用した。
【００１８】
またこのようなＶ字型の魚類忌避体１をイカヅノ１０に対して後付けするようにしてもよく、この場合には図６（ｃ）に示すように防水性の粘着テープ等を固着部３として適用すればよい。
【００１９】
更にまた基本となる実施例では、忌避作用部２の形態を直線状としたが、図６（ｄ）に示すように複数箇所で折り曲げて複雑な形状とすれば、後方から接近してくる魚Ｆの魚体により確実に忌避作用部２を接触させることができる。
【００２０】
更にまた上述した複数の実施例では、二本以上の複数の忌避作用部２が笠針１２の後方に突出するようにしたが、図６（ｂ）に示すように一方の忌避作用部２を短寸とし、一本の忌避作用部２が笠針１２の後方に突出するようにしてもよい。
【図面の簡単な説明】
【００２１】
【図１】本発明の魚類忌避体を具えたイカヅノの使用状態を示す斜視図である。
【図２】イカヅノを示す側面図である。
【図３】魚類忌避体を示す斜視図である。
【図４】魚類忌避体をイカヅノに装着する様子を段階的に示す斜視図である。
【図５】イカの捕食動作を説明するための斜視図である。
【図６】捕食忌避体の他の実施例を示す平面図である。
【図７】イカの群棲域と従来のイカヅノの問題点を説明するための概念図である。
【符号の説明】
【００２２】
１      魚類忌避体
２      忌避作用部
３      固着部
３０    係止部
３１    第一折曲部
３２    第二折曲部
３３    第三折曲部
１０    イカヅノ
１１    ボディ
１２    笠針
１３    ラインアイ
１５    テグス
Ｆ      魚
Ｌ      ライン
Ｓ      イカ
【図１】
2008067615.tif 000003
【図２】
2008067615.tif 000004
【図３】
2008067615.tif 000005
【図４】
2008067615.tif 000006
【図５】
2008067615.tif 000007
【図６】
2008067615.tif 000008
【図７】
2008067615.tif 000009